(57)【要約】【課題】  ネットによる地盤拘束効果をさらに高める面安定化工法を提供する。【解決手段】  斜面にアンカー１を分布させて設置しかつネット２を敷設する斜面安定化工法において、アンカー近傍のネット２をアンカー穴６内に引き込むことで、ネット２に緊張力を与える。図示例は、アンカーボルト１に螺合させた引込み金具１２をねじ込んで下方に移動させ、これに係合させたネット２をアンカー穴６内に引き込む。ネット２が緊張状態となるので、土塊移動が生じる際に直ちにネット２を介して斜面上方のアンカー１に荷重が伝達され、土塊が微少変形を起こす早い時点で地盤拘束作用を発揮する。【選択図】  図１
2006037532.tif 000002
【特許請求の範囲】
【請求項１】
斜面にアンカーを分布させて設置しかつネットを敷設する斜面安定化工法において、
アンカー近傍のネットをアンカー穴内に引き込みかつアンカー側に係止させてネットに緊張力を与えることを特徴とする斜面安定化工法。
【請求項２】
前記アンカーが頭部側にネジ部を持つアンカーボルトであり、アンカー近傍のネットをアンカー穴内に引き込みかつアンカー側に係止させる手段として、アンカーボルトにナット部材を螺合させ、このナット部材にアンカー近傍のネットを直接又は間接的に係合させることを特徴とする請求項１記載の斜面安定化工法。
【請求項３】
アンカー近傍のネットをアンカー穴内に引き込みかつアンカー側に係止させる手順として、アンカー近傍のネットをアンカー穴内に押し下げた後、アンカーに設けた係止部に係止させることを特徴とする請求項１記載の斜面安定化工法。
【請求項４】
斜面に頭部側がネジ部であるアンカーを分布させて設置しかつネットを敷設する斜面安定化工法において、
地盤に設置したアンカーのネジ部に螺合するナット部材と前記ナット部材が下方にねじ込まれた時に追随して下降するネット係合部材とからなる引込み金具を用い、前記ナット部材を下方にねじ込むことにより、前記ネット係合部材に係合させたアンカー近傍のネットをアンカー穴内部に引き込んでネットに緊張力を与えることを特徴とする斜面安定化工法。
【請求項５】
前記引込み金具のナット部材として、周溝を有するナット部材を用い、ネット係合部材として、ナット部材の前記周溝に回転のみ可能に嵌合する筒状部と、前記筒状部の周囲に設けたネット係合用の複数の係合突片とからなるネット係合部材を用いることを特徴とする請求項４記載の斜面安定化工法。
【請求項６】
前記引込み金具のネット係合部材として、ナット部材より下位においてアンカーに上下動可能に嵌合する筒状部と、前記筒状部の周囲に設けたネット係合用の複数の係合突片とからなるネット係合部材を用いることを特徴とする請求項４記載の斜面安定化工法。
【請求項７】
斜面に頭部側がネジ部であるアンカーを分布させて設置しかつネットを敷設するとともに、各アンカーの頭部に支圧板を取り付けこれを締着して地盤に対する支圧力を与える斜面安定化工法において、
地盤に設置したアンカーにおける支圧板の下面側に予め筒状の引込み金具を、上下動可能にかつ下端面にネットが当たる態様で被せておき、アンカーのネジ部に螺合させたナットを回して支圧板を締着する際に、支圧板とともに下降する前記筒状の引込み金具によりアンカー近傍のネットを押し下げることで、アンカー近傍のネットをアンカー穴内部に引き込んでネットに緊張力を与えることを特徴とする斜面安定化工法。
【請求項８】
斜面にアンカーを分布させて設置しかつネットを敷設する斜面安定化工法において、
地盤に設置したアンカーに係止部材を係止させ、前記係止部材とアンカー近傍のネットとの両者に係合させたワイヤにより、アンカー近傍のネットをアンカー穴内部に引き込んでネットに緊張力を与えることを特徴とする斜面安定化工法。
【請求項９】
前記ワイヤの一端側を係止部材に設けた取付環に通しかつネットの網目に通した後に、他端に形成した自身の端末輪に通してループを形成し、ワイヤの一端側を引っ張ってループを小さく絞ることにより、アンカー近傍のネットをアンカー穴内部に引き込んでネットに緊張力を与え、次いで、ワイヤの一端側を固定金具でネットに固定することを特徴とする請求項８記載の斜面安定化工法。
【請求項１０】
前記固定金具として、Ｕボルトとその両側のネジ軸部を通す２つの穴を持つ押さえ具とＵボルトの両側のネジ軸部にそれぞれ螺合するナットとからなるワイヤクリップを用い、ＵボルトのＵ字状空所にワイヤとネット材とを通し、ナットを締め付けてワイヤとネット材とを一体固定することを特徴とする請求項９記載の斜面安定化工法。
【請求項１１】
アンカーの両側においてそれぞれ、ワイヤの一端側を係止部材に設けた取付環に通しかつネットの網目に通した後に、他端に形成した自身の端末輪に通してループを形成し、各ワイヤの一端側を引っ張ってそれぞれループを小さく絞ることにより、アンカー両側における２つの網目をそれぞれ取付環側に引き寄せ、これによりアンカー近傍のネットをアンカー穴内部に引き込んでネットに緊張力を与え、次いで、各ワイヤの一端側を固定金具でネットに固定することを特徴とする請求項９記載の斜面安定化工法。
【請求項１２】
アンカーを通したリングをネットの上面に載せ、前記ループが前記リングをも通るように形成し、
各ワイヤの一端側を引っ張ってそれぞれループを小さく絞ることにより、アンカー両側における２つの網目をリングとともにそれぞれ取付環側に引き寄せ、これによりアンカー近傍のネットをアンカー穴内部に引き込んでネットに緊張力を与え、次いで、各ワイヤの一端側を固定金具でネットに固定することを特徴とする請求項１１記載の斜面安定化工法。
【請求項１３】
前記ワイヤの一端側を係止部材に設けた取付環及びネットのアンカーを挟む両側にある２つの網目に通した後に、他端に形成した自身の端末輪に通してループを形成し、ワイヤの一端側を引っ張ってループを小さく絞ることにより、ネットのアンカー両側の網目を同時に取付環側に引き寄せ、これによりアンカー近傍のネットをアンカー穴内部に引き込んでネットに緊張力を与え、次いで、ワイヤの一端側を固定金具でネットに固定することを特徴とする請求項９記載の斜面安定化工法。
【請求項１４】
斜面に頭部側がネジ部であるアンカーを分布させて設置しかつネットを敷設する斜面安定化工法において、
地盤に設置したアンカーのネジ部にナット部材を螺合させ、前記ナット部材が下方にねじ込まれた時に追随して下降するワイヤ係合部材を設け、前記ワイヤ係合部材とネットの網目交点とを、ワイヤ係合部材側に一端が取り付けられ他端側にフックを持つ引掛けワイヤで連結し、前記ナット部材を下方にねじ込むことにより、前記引掛けワイヤを介してアンカー近傍のネットをアンカー穴内部に引き込んでネットに緊張力を与えることを特徴とする斜面安定化工法。
【請求項１５】
前記各アンカーの頭部側がネジ部でありこの頭部に支圧板を取り付けこれを締着して地盤に対する支圧力を与えることを特徴とする請求項１〜６又は８〜１４記載の斜面安定化工法。
【請求項１６】
前記ネットが金網であることを特徴とする請求項１〜１５記載の斜面安定化工法。
【請求項１７】
斜面にアンカーを分布させて設置しかつネットを敷設した斜面安定化構造であって、
前記アンカーにネット係合部材が取り付けられ、このネット係合部材がアンカー近傍のネットをアンカー穴内に引き込んでいることを特徴とする斜面安定化構造。
【発明の詳細な説明】
【技術分野】
【０００１】
この発明は、斜面にアンカーを分布させて設置しかつネットを敷設して斜面の安定化を図る斜面安定化工法及び構造に関する。
【背景技術】
【０００２】
斜面の安定化を図る斜面安定化工法として、斜面に多数のアンカーを分布させて設置する斜面安定化工法が知られている。この場合、一般的には、アンカーとしてアンカーボルトを用い、各アンカーボルトに支圧板を取り付けこれを締着して地盤に対する支圧力を与える。すなわち、アンカーボルト自体の抵抗で地盤を拘束するとともに、支圧板の支圧力により地盤拘束効果を高める。
また、この種の斜面安定化工法において、各アンカー間をロープで連結するとともにロープに張力を与える斜面安定化工法もある（特開２０００−１３６５３５号）。この場合、
土塊移動が生じる際にロープが隣接する斜面上方のアンカーに荷重を伝達することで、地盤拘束効果がさらに高まる。
【０００３】
また、ロープの代わりにネットを敷設し、このネットで斜面を面状に押さえる地盤押さえ込み作用で地盤拘束効果を高める斜面安定化工法もある。
例えば、特開２００１−８１７８４号では、斜面に敷設したネットの上にワイヤ（ＰＣ鋼より線）を格子状に敷設し、この格子状ワイヤを、アンカー頭部に取り付けた支圧板で押し下げることで、格子状ワイヤを介してネットを斜面に押し付け、斜面を面状に押さえる。
また、特開２００１−１１８６３号では、斜面に敷設したネットを、アンカー頭部に取り付けた支圧板で押し付けることで、斜面を面状に押さえている。
このように、アンカー設置とともにネットを敷設する従来工法ではいずれも、ネットを斜面に直接押し付けるものである。
【特許文献１】特開２０００−１３６５３５号
【特許文献２】特開２００１−８１７８４号
【特許文献３】特開２００１−１１８６３号
【発明の開示】
【発明が解決しようとする課題】
【０００４】
ネットを敷設して斜面を面状に押さえることは、地盤拘束効果を高めるために有効であるが、このネットによる地盤拘束効果をさらに高めることができることが望ましい。
本発明は上記背景のもとになされたもので、アンカー設置とともにネットを敷設する斜面安定化工法において、ネットによる地盤拘束効果をさらに高めることが可能な斜面安定化工法及び構造を提供することを目的とする。
【課題を解決するための手段】
【０００５】
上記課題を解決する請求項１の発明は、斜面にアンカーを分布させて設置しかつネットを敷設する斜面安定化工法において、
アンカー近傍のネットをアンカー穴内に引き込みかつアンカー側に係止させてネットに緊張力を与えることを特徴とする。
請求項２は、請求項１の斜面安定化工法において、アンカーが頭部側にネジ部を持つアンカーボルトであり、アンカー近傍のネットをアンカー穴内に引き込みかつアンカー側に係止させる手段として、アンカーボルトにナット部材を螺合させ、このナット部材にアンカー近傍のネットを直接又は間接的に係合させることを特徴とする。
請求項３は、請求項１の斜面安定化工法において、アンカー近傍のネットをアンカー穴内に引き込みかつアンカー側に係止させる手順として、アンカー近傍のネットをアンカー穴内に押し下げた後、アンカーに設けた係止部に係止させることを特徴とする。
【０００６】
請求項４の発明は、斜面に頭部側がネジ部であるアンカーを分布させて設置しかつネットを敷設する斜面安定化工法において、
地盤に設置したアンカーのネジ部に螺合するナット部材と前記ナット部材が下方にねじ込まれた時に追随して下降するネット係合部材とからなる引込み金具を用い、前記ナット部材を下方にねじ込むことにより、前記ネット係合部材に係合させたアンカー近傍のネットをアンカー穴内部に引き込んでネットに緊張力を与えることを特徴とする。
請求項５は、請求項４の斜面安定化工法において、引込み金具のナット部材として、周溝を有するナット部材を用い、ネット係合部材として、ナット部材の前記周溝に回転のみ可能に嵌合する筒状部と、前記筒状部の周囲に設けたネット係合用の複数の係合突片とからなるネット係合部材を用いることを特徴とする。
請求項６は、請求項４の斜面安定化工法において、引込み金具のネット係合部材として、ナット部材より下位においてアンカーに上下動可能に嵌合する筒状部と、前記筒状部の周囲に設けたネット係合用の複数の係合突片とからなるネット係合部材を用いることを特徴とする。
【０００７】
請求項７の発明は、斜面に頭部側がネジ部であるアンカーを分布させて設置しかつネットを敷設するとともに、各アンカーの頭部に支圧板を取り付けこれを締着して地盤に対する支圧力を与える斜面安定化工法において、
地盤に設置したアンカーにおける支圧板の下面側に予め筒状の引込み金具を、上下動可能にかつ下端面にネットが当たる態様で被せておき、アンカーのネジ部に螺合させたナットを回して支圧板を締着する際に、支圧板とともに下降する前記筒状の引込み金具によりアンカー近傍のネットを押し下げることで、アンカー近傍のネットをアンカー穴内部に引き込んでネットに緊張力を与えることを特徴とする。
【０００８】
請求項８の発明は、斜面にアンカーを分布させて設置しかつネットを敷設する斜面安定化工法において、
地盤に設置したアンカーに係止部材を係止させ、前記係止部材とアンカー近傍のネットとの両者に係合させたワイヤにより、アンカー近傍のネットをアンカー穴内部に引き込んでネットに緊張力を与えることを特徴とする。
請求項９は、請求項８の斜面安定化工法において、ワイヤの一端側を係止部材に設けた取付環に通しかつネットの網目に通した後に、他端に形成した自身の端末輪に通してループを形成し、ワイヤの一端側を引っ張ってループを小さく絞ることにより、アンカー近傍のネットをアンカー穴内部に引き込んでネットに緊張力を与え、次いで、ワイヤの一端側を固定金具でネットに固定することを特徴とする。
請求項１０は、請求項９の斜面安定化工法において、固定金具として、Ｕボルトとその両側のネジ軸部を通す２つの穴を持つ押さえ具とＵボルトの両側のネジ軸部にそれぞれ螺合するナットとからなるワイヤクリップを用い、ＵボルトのＵ字状空所にワイヤとネット材とを通し、ナットを締め付けてワイヤとネット材とを一体固定することを特徴とする。
請求項１１は、請求項９の斜面安定化工法において、アンカーの両側においてそれぞれ、ワイヤの一端側を係止部材に設けた取付環に通しかつネットの網目に通した後に、他端に形成した自身の端末輪に通してループを形成し、各ワイヤの一端側を引っ張ってそれぞれループを小さく絞ることにより、アンカー両側における２つの網目をそれぞれ取付環側に引き寄せ、これによりアンカー近傍のネットをアンカー穴内部に引き込んでネットに緊張力を与え、次いで、各ワイヤの一端側を固定金具でネットに固定することを特徴とする。
請求項１２は、請求項１１の斜面安定化工法において、アンカーを通したリングをネットの上面に載せ、前記ループが前記リングをも通るように形成し、各ワイヤの一端側を引っ張ってそれぞれループを小さく絞ることにより、アンカー両側における２つの網目をリングとともにそれぞれ取付環側に引き寄せ、これによりアンカー近傍のネットをアンカー穴内部に引き込んでネットに緊張力を与え、次いで、各ワイヤの一端側を固定金具でネットに固定することを特徴とする。
請求項１３は、請求項９記載の斜面安定化工法において、ワイヤの一端側を係止部材に設けた取付環及びネットのアンカーを挟む両側にある２つの網目に通した後に、他端に形成した自身の端末輪に通してループを形成し、ワイヤの一端側を引っ張ってループを小さく絞ることにより、ネットのアンカー両側の網目を同時に取付環側に引き寄せ、これによりアンカー近傍のネットをアンカー穴内部に引き込んでネットに緊張力を与え、次いで、ワイヤの一端側を固定金具でネットに固定することを特徴とする。
【０００９】
請求項１４の発明は、斜面に頭部側がネジ部であるアンカーを分布させて設置しかつネットを敷設する斜面安定化工法において、
地盤に設置したアンカーのネジ部にナット部材を螺合させ、前記ナット部材が下方にねじ込まれた時に追随して下降するワイヤ係合部材を設け、前記ワイヤ係合部材とネットの網目交点とを、ワイヤ係合部材側に一端が取り付けられ他端側にフックを持つ引掛けワイヤで連結し、前記ナット部材を下方にねじ込むことにより、前記引掛けワイヤを介してアンカー近傍のネットをアンカー穴内部に引き込んでネットに緊張力を与えることを特徴とする。
【００１０】
請求項１５は、請求項１〜６又は８〜１４の斜面安定化工法において、各アンカーの頭部側がネジ部でありこの頭部に支圧板を取り付けこれを締着して地盤に対する支圧力を与えることを特徴とする。
請求項１６は、請求項１〜１５の斜面安定化工法において、ネットが金網であることを特徴とする。
【００１１】
請求項１７の発明は斜面にアンカーを分布させて設置しかつネットを敷設した斜面安定化構造であって、
前記アンカーにネット係合部材が取り付けられ、このネット係合部材がアンカー近傍のネットをアンカー穴内に引き込んでいることを特徴とする。
【発明の効果】
【００１２】
アンカー設置とともにネットを敷設する斜面安定化工法では、アンカー自体の抵抗で地盤が拘束され地盤の安定化が図られるとともに、ネットが地盤を面状に押さえることによる地盤押さえ込み作用で地盤拘束効果が高まるが、本発明ではさらに、アンカー近傍のネットがアンカー穴内に引き込まれて、ネットが緊張状態となるので、土塊移動が生じる際に直ちにネットを介して斜面上方のアンカーに荷重を伝達させることができ、したがって、土塊が微少変形を起こす早い時点で地盤拘束作用を発揮することができ、地盤拘束効果が向上する。
また、ネットに緊張力を与える手段としては、引込み金具等の簡単な金具を操作するだけで済み、人力で作業できるので、不安定な斜面に特別な機械を搬入するような困難さは生じず、施工性が良好である。
【００１３】
アンカーを設置する斜面安定化工法では一般にアンカーボルトを使用することが多いので、請求項２、４、５、６、７、１４のように、アンカーボルトのネジを利用する方法を採用することで、ネットに緊張力を与えることが容易になる。
【００１４】
請求項３によれば、ネジを形成していないアンカーを設置する場合でも、ネットに緊張力を与えることができ。
【００１５】
請求項４の斜面安定化工法によれば、ナット部材とネット係合部材とに分離した引込み金具を用いているので、ネットがナット部材の回転に追随して回転することなくスムーズに引き込むことがでる。
請求項５によれば、引込み金具が一部品となっているので、取り扱いが容易である。
請求項６によれば、ナット部材が単なるナットで済み、引込み金具の構成が簡略化される。
【００１６】
請求項７の斜面安定化工法によれば、支圧板を締着する際の動きを利用することで、概ね筒状の引込み金具だけで済み、構成がさらに簡略化される。
【００１７】
請求項８の斜面安定化工法によれば、ネットを引き込む際の作業としてナット部材をねじ込んでいく煩雑さがない点では、ネットに緊張力を与えることが容易である。
請求項９によれば、ワイヤの一端側を引っ張ってループを絞るという簡単な操作でネットを引き込むことが可能であり、作業性がよい。
請求項１０のように固定金具としてワイヤクリップを用いると、ワイヤを固定する作業を容易に行うことができる。
請求項１２によれば、ワイヤのループによる絞りとともにリングでネットを上から押し下げながらの引き込みになるので、アンカー近傍のネットを確実に引き込むことができる。
請求項１３によれば、１本のワイヤでネットのアンカーの両側の網目を同時に引き込むので、少ないワイヤ引張り量でネットに効率よく緊張力を与えることができる。
【００１８】
請求項１４の斜面安定化工法によれば、引掛けワイヤに設けた四方のフックでネットの網目の四方の網目交点を引き込むので、ネットの四方に均等な緊張力を与えることができる。
【発明を実施するための最良の形態】
【００１９】
以下、本発明の斜面安定化工法、及び斜面安定化構造の実施例を図面を参照して説明する。なお、本発明の斜面安定化工法の実施例は、本発明の斜面安定化構造の実施例にもなるので、以下では斜面安定化工法として説明する。
【実施例１】
【００２０】
図１〜図３は本発明の斜面安定化工法の一実施例を示すもので、図１は斜面安定化工法を施工した斜面の要部断面図、図２は図１における引込み金具１２の部分の拡大斜視図である。
この斜面安定化工法は、斜面に多数のアンカーボルト１を分布させて設置しかつネット２を敷設するとともに、各アンカーボルト１の頭部に支圧板３を取り付け、アンカーボルト１の頂部に螺合させたナット４をねじ込んで支圧板３を締着し地盤に対する支圧力を与える工法である。
本発明ではアンカー近傍のネット２をアンカー穴６内に引き込んでネット２に緊張力を与えるが、この実施例では、アンカー近傍のネット２をアンカー穴６内に引き込む手段として、アンカーボルト１に螺合するナット部材１０と、このナット部材１０に回転のみ可能に取り付けられたネット係合部材１１とからなる引込み金具１２を用いる。前記ネット係合部材１１は、ナット部材１０の外周に設けた周溝１０ａに回転のみ可能に嵌合する筒状部１１ａと、前記筒状部１１ａの周囲に放射状に設けたネット係合用の複数のカギ形の係合突片１１ｂとからなっている。
【００２１】
具体的施工手順について説明すると、斜面のアンカーボルト１を設置すべき個所にそれぞれ固い地盤に到達するまでアンカー穴６をあけ、アンカーボルト１を挿入した後、各アンカー穴６に、その上部までは埋まらない程度にグラウト７を注入して各アンカーボルト１を地盤に固定する。次いで、ネット２を敷設する。なお、ネットはアンカー設置領域の全体に敷設する場合に限らず一部だけに敷設する場合もある。また、通常はアンカーボルト１を設置してからネット２を敷設するが、必ずしも、ネット２を敷設してからアンカーボルト１を設置することを除外しない。
【００２２】
次いで、ネット２に緊張力を与えるが、まず、図３（イ）に示すように、アンカーボルト１に前記引込み金具１２を、そのナット部材１０をアンカーボルト１に螺合させねじ込んで、地表近傍高さ位置に位置させる。この状態では通常、引込み金具１２のネット係合部材１１の係合突片１１ｂがネット２の線材に上から係合するが、もし係合していない場合は、ネット２の線材を手で動かして係合突片１１ｂの内側に入れて係合させる。
次いで、ナット部材１０を下方にねじ込んで、これを下方に移動させると、図３（ロ）のようにネット係合部材１１が追随して一体に下降するので、アンカー近傍のネット２がアンカー穴６の内部に引き込まれる。こにれよりネット２に緊張力が与えられる。
その後、アンカーボルト１の頭部に支圧板３を被せ、ナット４をアンカーボルト１の頂部に螺合させ締め付けて支圧板３を押し下げる。１６はキャップである。
なお、上述のように予めネット２を引込み金具１２に引っ掛けて引込み金具１２を下方に移動させるのが適切であるが、引込み金具１２を下方に移動させてから、ネット２を押し下げて、引込み金具１２に引っ掛けることも可能である。
【００２３】
上述の斜面安定化工法においては、固い地盤に到達するまで埋め込まれたアンカーボルト１自体の抵抗で地盤が拘束されることで、地盤の安定化が図られる。そして、支圧板３が地盤を押し付けることによる支圧効果で地盤拘束効果が高まる。さらに、ネット２が地盤を面状に押さえることによる地盤押さえ込み作用で地盤拘束効果がさらに高まるが、このネット２は、アンカーボルト１の近傍がアンカー穴６の内部に引き込まれて緊張状態にあるので、土塊移動が生じる際に直ちにネット２を介して斜面上方のアンカーボルト１に荷重を伝達させることができ、したがって、土塊が微少変形を起こす早い時点で地盤拘束作用を発揮することができ、地盤の安定化に寄与する。
また、ネット２に緊張力を与える手段としては、引込み金具１２をアンカーボルト１に螺合させそれを回すだけで済み、人力で作業できるので、不安定な斜面に特別な機械を搬入するような困難さは生じず、施工性が良好である。
【実施例２】
【００２４】
図４、図５に本発明の他の実施例を示す。この実施例は、図４に示すように、アンカーボルト１に螺合するナット（ナット部材）１８と、このナット１８より下位においてアンカーボルト１に上下動可能に嵌合するネット係合部材１９とからなる引込み金具２０を用いるものである。
ネット係合部材１９は、アンカーボルト１を挿通させる筒状部１９ａの周囲に放射状に伸びるネット係合用の複数の係合突片１９ｂを備えている。係合突片１９ｂは、ネット２の線材に確実に係合できるように内側に折り返されたフック形状をなしている。
【００２５】
この実施例では、前記と同様にアンカーボルト１を設置しネット２を敷設した後、図５（イ）に示すように、ネット係合部材１９をアンカーボルト１に被せ、その係合突片１９ｂをネット２の線材に係合させた状態でネット２上に載せた後、ナット１８をアンカーボルト１に螺合させる。次いで、ナット１８をねじ込んでいくと、ネット係合部材１９がナット１８に押し下げられて下降するので、アンカー近傍のネット２がアンカー穴６の内部に引き込まれる。これによりネット２に緊張力が与えられる。
この実施例によれば、ナット部材が単なるナット１８で済み、ネット係合部材１９も単なる筒状部１９ａに係合突片１９ｂを設けただけのもので済むので、簡略化される。
【実施例３】
【００２６】
図６、図７に本発明の他の実施例を示す。この実施例は、下端面にネット２を引っ掛け易くするための湾曲切欠き２３ａを形成した円筒体２３の上端面に鍔２４を設けた引込み金具２５を用いる。
【００２７】
この実施例では、前記と同様にアンカーボルト１を設置しネット２を敷設した後、図７（イ）に示すように、アンカーボルト１に引込み金具２５を被せて、その円筒体２３をネット２の上に載せ、下端面の湾曲切欠き２３ａにネット２の線材が係合するようにする。
次いで、支圧板３をアンカーボルト１に被せた後、アンカーボルト１の頂部にナット４を螺合させねじ込んでいくと、支圧板３とともに引込み金具２５が押し下げられるので、図７（ロ）に示すように、その円筒体２３の下端面でネット２を押し下げて、アンカー近傍のネット２をアンカー穴６の内部に引き込み、これによりネット２に緊張力を与えることができる。
この引込み金具２５によれば、構造が極めて簡単で安価であり、また操作も簡単で作業性がよい。
【実施例４】
【００２８】
図８、図９に本発明のさらに他の実施例を示す。この斜面安定化工法は、地盤に設置したアンカーボルト１に係止部材２８を係止させ、前記係止部材２８とアンカー近傍のネット２との両者に係合させたワイヤ２９により、アンカー近傍のネット２をアンカー穴６内部に引き込んでネットに緊張力を与える方法である。
この実施例の係止部材２８はアンカーボルト１に螺合するねじ穴を持ち、外周面の直径方向両側に、ワイヤ２９を連結するための例えばアイボルト等による取付環２８ａを備えている。ワイヤ２９は一端側に端末輪２９ａを持つ。
なお、この実施例ではアンカーが外周にネジを形成したアンカーボルト１なので、係止部材として、アンカーボルト１に螺合する部材を用いているが、ネジを形成していないアンカーの場合は、何らかの手段でアンカーに位置調整可能に取り付ける。
【００２９】
この実施例の施工要領について説明すると、アンカーボルト１を設置した後、係止部材２８をアンカーボルト１に螺合させ、係止部材２８の取付環２８ａにワイヤ２９を通しておく。なお、予め係止部材２８を螺合させたアンカーボルト１を設置する手順でもよい。次いで、係止部材２８をねじ込んで適宜の深さ位置に移動させておく。
次いで、ネット２を一部に敷設する。
次いで、それぞれのワイヤ２９をネット２の網目に通した後、図８（イ）に示すように、それ自身の端末輪２９aに通してループ２９ｂを形成する。
次いで、ワイヤ２９の一端側を引っ張っると、ループ２９ｂが小さく絞られ、これにより図８（ロ）、（ハ）に示すように、アンカーボルト１の両側の網目がそれぞれアンカー穴６の奥に引き込まれて、ネット２に緊張力が与えられる。
次いで、ワイヤ２９の一端側をワイヤクリップ（固定金具）３０でネット２に固定する。
【００３０】
実施例のワイヤクリップ３０は、市販品であるが、図９に示すようにＵボルト３１とその両側のネジ軸部３１ａを通す２つの穴３２ａを持つ押さえ具３２と、Ｕボルト３１の両側のネジ軸部３１ａにそれぞれ螺合するナット３３とからなり、Ｕボルト３１のＵ字状空所にワイヤ２９とネット２の線材とを通し、ナット３３を締め付けてワイヤ２９とネット材２ａとを一体固定する。
この実施例によれば、ネット２を引き込む際の作業としてナット部材をねじ込んでいく煩雑さがない点では、ネット２に緊張力を与えることが容易である。
なお、ワイヤ２９をネット２に固定する固定金具は、実施例のようなワイヤクリップ３０に限らず、適宜のものを用いることができる。また、取付環２８ａ及びワイヤ２９の数は、直径方向の２箇所に限らず、四方の４箇所としてもよい。
【実施例５】
【００３１】
図１０に本発明のさらに他の実施例を示す。
この実施例は図８で説明した実施例４の方法において、予め、網目より大きなリング３４をアンカーボルト１に通しネット２の上に載せておく方法である。
すなわち、実施例４の方法において、ワイヤ２９にループ２９ｂをつくる際に、ワイヤ２９の一端側をリング３４内にも通した後に自身の端末輪２９ａに通すことで、ループ２９ｂがリング３４にも絡むようにする。
その後、ワイヤ２９の一端側を引っ張れば、前記と同様にワイヤ２９のアンカー近傍部分がアンカー穴６内に引き込まれるが、その際、ループ２９ｂに絡んでいるリング３４も一緒に引き込まれてネット２を上から押し下げながら、アンカー近傍のネット２をアンカー穴６内に引き込む。その後、ワイヤクリップ３０でワイヤ２９をネット２に固定する。
ワイヤ２９のループ２９ｂによる絞りとともにリング３４でネット２を上から押し下げながらの引き込みになるので、アンカー近傍のネット２を確実に引き込むことができる。
【実施例６】
【００３２】
図１１に本発明のさらに他の実施例を示す。この実施例は同じく係止部材２８とワイヤ２９とを用いるが、この実施例では、ワイヤ２９にループ２９ｂを形成する際に、図１１（イ）のように、係止部材２８の取付環２８ａに通したワイヤ２９を、アンカーボルト１を挟む両側の網目に通した後に、それ自身の端末輪２９ａに通すことで、アンカーボルト１の両側の網目をくぐったループ２９ｂを形成する。
その後、ワイヤ２９の一端側を引っ張ると、ループ２９ｂが小さく絞られ、図１１（ロ）のようにネット２のアンカーボルト１の両側の網目が同時にアンカー穴６の内部に引き込まれ、ネット２に緊張力が与えられる。
この実施例によれば、１本のワイヤ２９でネット２のアンカーボルト１の両側の網目を同時に引き込むので、少ないワイヤ引張り量でネット２に効率よく緊張力を与えることができる。
【実施例７】
【００３３】
図１２、図１３に本発明のさらに他の実施例を示す。
この実施例ではアンカーボルト１に取り付けられる引込み金具４２と、この引込み金具４２とネット２の四方の網目の交点Ｐとを連結する引掛けワイヤ４３とを用いる。
引込み金具４２は、アンカーボルト１に螺合するナット部材４０と、このナット部材４０に回転のみ可能に取り付けられたワイヤ係合部材４１とからなり、前記ワイヤ係合部材４１は、ナット部材４０の外周に設けた周溝４０ａに回転のみ可能に嵌合する筒状部４１ａの外周の四方の４箇所に、前記引掛けワイヤ４３の端末輪４３ａを連結する取付環４１ｂを持つ。引掛けワイヤ４３は、端末輪４３ａと反対側端部に、ワイヤ２９の網目の交点Ｐに引っ掛けるためのフック４３ｂを持つ。
【００３４】
この実施例の施工要領について説明すると、アンカーボルト１を設置した後、引込み金具４２をアンカーボルト１に螺合させておき、次いでネット２を敷設する。次いで、ワイヤ引込み金具４２に下端が連結されているワイヤ４３の上端のフック４３ｂをネット２の網目の交点Ｐに引っ掛ける。図１３（イ）は網目に引っ掛ける直前の状態を示す。
次いで、引込み金具４２のナット部材４０をねじ込んで、引込み金具４２を下方に移動させると、引掛けワイヤ４３がアンカーボルト１の周囲の４箇所の網目交点を図１３（ロ）のようにアンカー穴６内に引っ張り込むので、アンカー近傍のネット２がアンカー穴６内に引き込まれ、これによりネット２に緊張力が与えられる。図１２において実線で示したネット２は緊張力付与前の状態、破線で示したネット２は引掛けワイヤ４３で引っ張って緊張力を与えた状態を示す。
【００３５】
本発明で地盤に敷設するネット２の材質や網目構造は任意であり、種々のものを用いることができる。例えば、図１４に示したネット２（Ａ）は網目の小さい場合であり、例えば菱形金網を用いている。同図にネット２（Ａ）に対するアンカーボルト１の配列の一例を示す。具体例としては例えば、網目ピッチが４〜５ｃｍであり、２メートル程度の間隔でアンカーボルト１を設置する。
また、図１５、図１６に示したネット２（Ｂ）は網目の大きい場合であり、例えばリングからなるネットを用いている。図１７にリングからなるネット２（Ｂ）の部分拡大図を示す。このネットは図示のように、針金又はワイヤのリング２ｂが互いに絡まる形で網目を形成している。図１５、図１６はいずれもリングからなるネットの場合のアンカーボルト１の配列であるが、図１５の例はアンカーボルト１をリング内に位置させる場合、図１６の例はアンカーボルト１をリング間に位置させる場合である。具体例としては例えば、網目ピッチが５０ｃｍであり、同じく２メートル程度の間隔でアンカーボルト１を設置する。
また、金属線によるネットに限らず、プラスチック製のネットでもよい。
【実施例８】
【００３６】
上述の実施例ではアンカーとしていずれもアンカーボルト１を用いているが、ネット２を引き込むためにネジ部を利用しない場合には、ネジ部のないアンカーを用いてもよい。
また、本発明の斜面安定化工法は、アンカーを地盤に設置するだけでなく、アンカー頭部に取り付けた支圧板３を締着して地盤に支圧力を作用させるのが適切であるが、支圧板を用いない工法を除外するものではない。
【図面の簡単な説明】
【００３７】
【図１】本発明の斜面安定化工法の一実施例を示すもので、斜面安定化工法を施工した斜面の要部断面図である。
【図２】図１の斜面安定化工法における引込み金具部分の拡大斜視図である。
【図３】図１で説明する斜面安定化工法におけるネット引込み作業の手順を説明する図であり、（イ）はネット引込み作業の途中状態、（ロ）はネット引込み作業の終了状態を示す。
【図４】本発明の他の実施例の斜面安定化工法における引込み金具部分の拡大斜視図である。
【図５】図４で説明する斜面安定化工法におけるネット引込み作業の手順を説明する図であり、（イ）はネット引込み作業の途中状態、（ロ）はネット引込み作業の終了状態を示す。
【図６】本発明のさらに他の実施例の斜面安定化工法における引込み金具部分の拡大斜視図である。
【図７】図６で説明する斜面安定化工法におけるネット引込み作業の手順を説明する図であり、（イ）はネット引込み作業の途中状態、（ロ）はネット引込み作業の終了状態を示す。
【図８】本発明のさらに他の実施例の斜面安定化工法を説明するもので、（イ）はネット引込み作業の途中状態、（ロ）はネット引込み作業のさらに進んだ途中状態、（ハ）はネット引込み作業の終了状態を示す。
【図９】図８の斜面安定化工法に用いるワイヤクリップの正面図である。
【図１０】本発明のさらに他の実施例の斜面安定化工法を説明するもので、（イ）はネット引込み作業の途中状態、（ロ）はネット引込み作業の終了状態を示す。
【図１１】本発明のさらに他の実施例の斜面安定化工法を説明するもので、（イ）はネット引込み作業の途中状態、（ロ）はネット引込み作業の終了状態を示す。
【図１２】本発明のさらに他の実施例の斜面安定化工法を示すもので、引掛けワイヤ部分の平面図である。
【図１３】図１２で説明する斜面安定化工法におけるネット引込み作業の手順を説明する図であり、（イ）はネット引込み作業の途中状態、（ロ）はネット引込み作業の終了状態を示す。
【図１４】本発明の斜面安定化工法において、ネットが菱形金網の場合のネットに対するアンカー位置の一例を説明する平面図である。
【図１５】本発明の斜面安定化工法において、ネットがリングからなるネットの場合のネットに対するアンカー位置の一例を説明する平面図である。
【図１６】本発明の斜面安定化工法において、同じくネットがリングからなるネットの場合のネットに対するアンカー位置の他の例を説明する平面図である。
【図１７】上記リングからなるネットの網目構造の詳細を説明する要部拡大図である。
【符号の説明】
【００３８】
１  アンカーボルト（アンカー）
２  ネット
３  支圧板
４  ナット
６  アンカー穴
７  グラウト
１０  ナット部材
１０ａ  周溝
１１  ネット係合部材
１１ａ  筒状部
１１ｂ  係合突片
１２    引込み金具
１６  キャップ
１８  ナット（ナット部材）
１９  ネット係合部材
１９ａ  筒状部
１９ｂ  係合突片
２０  引込み金具
２３  円筒体
２３ａ  湾曲切欠き
２４  鍔
２５  引込み金具
２８  ワイヤ係止部材
２８ａ  取付環
２９  ワイヤ
２９ａ  端末輪
２９ｂ  ループ
３０  ワイヤクリップ（固定金具）
３１  Ｕボルト
３１ａ  ネジ軸部
３２  押さえ具
３２ａ  穴
３３  ナット
３４  リング
４０  ナット部材
４１  ワイヤ係合部材
４１ａ  円筒部
４１ｂ    取付環
４２  引込み金具
４３  引掛けワイヤ
４３ａ  端末輪
４３ｂ  フック
【図１】
2006037532.tif 000003
【図２】
2006037532.tif 000004
【図３】
2006037532.tif 000005
【図４】
2006037532.tif 000006
【図５】
2006037532.tif 000007
【図６】
2006037532.tif 000008
【図７】
2006037532.tif 000009
【図８】
2006037532.tif 000010
【図９】
2006037532.tif 000011
【図１０】
2006037532.tif 000012
【図１１】
2006037532.tif 000013
【図１２】
2006037532.tif 000014
【図１３】
2006037532.tif 000015
【図１４】
2006037532.tif 000016
【図１５】
2006037532.tif 000017
【図１６】
2006037532.tif 000018
【図１７】
2006037532.tif 000019